(57)【特許請求の範囲】
【請求項１】
窓枠と、窓枠に対して上端部が上下動自在及び回動自在に支持されて開閉する障子と、窓枠と障子に対してその両端部が回転自在に連結される回転アームとを備え、
窓枠の縦枠内周面に、室内側から室外側に向かって上方に傾斜するように縦枠内周面から内周方向に突出する上方リブと、上方リブに対して下方に配置され室外側から室内側に向かって下方に傾斜するように縦枠内周面から内周方向に突出する下方リブと、上方リブと下方リブとを連結する連結部とを備える操作部材を上下動自在に設けるとともに、
回転アームの外周面に、上方リブ及び下方リブの間に配置され、上方リブに当接することで障子を開放操作し、下方リブに当接することで障子を閉鎖操作するとともに、上方リブと下方リブとの間において上方リブ及び下方リブから離脱して障子を室内外の圧力差等の外力によって自由に開閉するフリー可動状態にする開閉操作ピンが形成されている
ことを特徴とする窓サッシ。
【請求項２】
窓枠と、窓枠に対して上端部が上下動自在及び回動自在に支持されて開閉する障子と、窓枠と障子に対してその両端部が回転自在に連結される回転アームとを備え、
窓枠の縦枠内周面に、室内側から室外側に向かって上方に傾斜するように縦枠内周面から内周方向に突出する上方リブと、上方リブに対して下方に配置され室外側から室内側に向かって下方に傾斜するように縦枠内周面から内周方向に突出する下方リブと、上方リブと下方リブとを連結する連結部とを備える操作部材を上下動自在に設けるとともに、
上方リブは、室内側から室外側に向かって上方に傾斜する上方リブ傾斜部と、上方リブ傾斜部の室外側端より上方に延びる上方リブ鉛直部とを有し、
回転アームの外周面に、上方リブ及び下方リブの間に配置され、上方リブの上方リブ傾斜面に当接することで障子を開放操作するとともに上方リブ鉛直部に当接することで障子を開放位置に維持し、下方リブに当接することで障子を閉鎖操作する開閉操作ピンが形成されている
ことを特徴とする窓サッシ。
【請求項３】
窓枠と、窓枠に対して上端部が上下動自在及び回動自在に支持されて開閉する障子と、窓枠と障子に対してその両端部が回転自在に連結される回転アームとを備え、
窓枠の縦枠内周面に、室内側から室外側に向かって上方に傾斜するように縦枠内周面から内周方向に突出する上方リブと、上方リブに対して下方に配置され室外側から室内側に向かって下方に傾斜するように縦枠内周面から内周方向に突出する下方リブと、上方リブと下方リブとを連結する連結部とを備える操作部材を上下動自在に設けるとともに、
下方リブは、室外側から室内側に向かって下方に傾斜する下方リブ傾斜部と下方リブ傾斜部の室内側端より下方に垂下する下方リブ鉛直部とを有し、
回転アームの外周面に、上方リブ及び下方リブの間に配置され、上方リブに当接することで障子を開放操作し、下方リブの下方リブ傾斜部に当接することで障子を閉鎖操作するとともに下方リブ鉛直部に当接することで障子を閉鎖位置に維持する開閉操作ピンが形成されている
ことを特徴とする窓サッシ。
【発明の詳細な説明】
【技術分野】
【０００１】
本発明は、建築物外部を流れる自然風や建築物内外の気圧差等により、自動的に開閉して室内の自然換気を行うことができる窓に関するものである。
【背景技術】
【０００２】
従来より、建物外部を流れる自然風等を利用して室内の自然換気を行うことができる窓が求められている（特許文献１）。
【先行技術文献】
【特許文献】
【０００３】
【特許文献１】特許第４８７６９３１公報
【発明の概要】
【発明が解決しようとする課題】
【０００４】
上記特許文献１のサッシにおいては、操作者によって，障子を閉鎖する際には、開閉する障子の下框枠に取り付けてある係合部材を手動操作により引張って障子を閉鎖位置に配し、回動することにより係合部材を下枠に係合させていた。しかしながら、室内から係合部材をつかむには、手を窓から伸ばさなければならず、操作性がわるく、また、自然風により障子が急に開閉するなど、安全性にも問題があった。
【０００５】
本発明は、上記事情を鑑みたものであり、障子の開閉操作と障子のロック操作を室内から簡単に行うことのできる開閉窓を提供することを目的とするものである。
【課題を解決するための手段】
【０００６】
本発明は、窓枠と、窓枠に対して上端部が上下動自在及び回動自在に支持されて開閉する障子と、窓枠と障子に対してその両端部が回転自在に連結される回転アームとを備え、  窓枠の縦枠内周面に、室内側から室外側に向かって上方に傾斜するように縦枠内周面から内周方向に突出する上方リブと、上方リブに対して下方に配置され室外側から室内側に向かって下方に傾斜するように縦枠内周面から内周方向に突出する下方リブと、上方リブと下方リブとを連結する連結部とを備える操作部材を上下動自在に設けるとともに、回転アームの外周面に、上方リブ及び下方リブの間に配置され、上方リブに当接することで障子を開放操作し、下方リブに当接することで障子を閉鎖操作するとともに、上方リブと下方リブとの間に位置することで障子を室内外の圧力差等の外力によって自由に開閉するフリー可動状態とする開閉操作ピンが形成されていることを特徴とする。
また、本発明は、窓枠と、窓枠に対して上端部が上下動自在及び回動自在に支持されて開閉する障子と、窓枠と障子に対してその両端部が回転自在に連結される回転アームとを備え、窓枠の縦枠内周面に、室内側から室外側に向かって上方に傾斜するように縦枠内周面から内周方向に突出する上方リブと、上方リブに対して下方に配置され室外側から室内側に向かって下方に傾斜するように縦枠内周面から内周方向に突出する下方リブと、上方リブと下方リブとを連結する連結部とを備える操作部材を上下動自在に設けるとともに、上方リブは、室内側から室外側に行くにしたがって上方に傾斜する上方リブ傾斜部と、上方リブ傾斜部の室外側端より上方に延びる上方リブ鉛直部とを有し、回転アームの外周面に、上方リブ及び下方リブの間に配置され、上方リブの上方リブ傾斜面に当接することで障子を開放操作するとともに上方リブ鉛直部に当接することで障子を開放位置に維持し、下方リブに当接することで障子を閉鎖操作する開閉操作ピンが形成されていることを特徴とする。
さらに、本発明は、窓枠と、窓枠に対して上端部が上下動自在及び回動自在に支持されて開閉する障子と、窓枠と障子に対してその両端部が回転自在に連結される回転アームとを備え、窓枠の縦枠内周面に、室内側から室外側に向かって上方に傾斜するように縦枠内周面から内周方向に突出する上方リブと、上方リブに対して下方に配置され室外側から室内側に向かって下方に傾斜するように縦枠内周面から内周方向に突出する下方リブと、上方リブと下方リブとを連結する連結部とを備える操作部材を上下動自在に設けるとともに、下方リブは、室外側から室内側に向かって下方に傾斜する下方リブ傾斜部と下方リブ傾斜部の室内側端より下方に垂下する下方リブ鉛直部とを有し、回転アームの外周面に、上方リブ及び下方リブの間に配置され、上方リブに当接することで障子を開放操作し、下方リブの下方リブ傾斜部に当接することで障子を閉鎖操作するとともに下方リブ鉛直部に当接することで障子を閉鎖位置に維持する開閉操作ピンが形成されていることを特徴とする。
【発明の効果】
【０００７】
障子の開閉を障子に設けたハンドル等により行わず、室内からの操作によって開閉操作を行うことができるので、操作性がよく、安全に開閉操作を行うことができる。
【図面の簡単な説明】
【０００８】
【図１】本発明の実施形態の窓サッシの全体斜視図である。
【図２】本発明の実施形態の窓サッシの縦断面図である。
【図３】本発明の実施形態の窓サッシの開閉機構の構成を説明するための窓サッシ上部の縦断面図である。
【図４】本発明の実施形態の窓サッシの開閉時の障子及び回転アームの動きを説明する図である。
【図５】本発明の実施形態の窓サッシの開閉時の障子及び回転アームの動きを模式的に説明する図である。
【図６】本発明の実施形態の窓サッシの衝撃吸収手段を説明するための縦断面図である。
【図７】（ａ）は、本発明の実施形態の窓サッシの開閉操作手段を説明するための窓サッシの中央部分の縦断面図であり、（ｂ）は横断面図である。
【図８】本発明の実施形態の窓サッシの開閉操作を説明する図である。
【図９】本発明の他の実施形態の窓サッシの開閉操作を説明する図である。
【図１０】本発明の他の実施形態の窓サッシの開閉操作を説明する図である。
【図１１】本発明の他の実施形態の窓サッシの開閉操作を説明する図である。
【図１２】本発明の他の実施形態の窓サッシの開閉操作を説明する図である。
【図１３】本発明の他の実施形態の窓サッシの閉鎖操作を説明する図である。
【図１４】本発明の他の実施形態の窓サッシの開閉操作を説明する図である。
【発明を実施するための形態】
【０００９】
本発明の実施形態の窓サッシについて、図面を参考に説明する。
（全体の構成）
図１、２に示すように、本発明の実施形態の窓サッシは、上枠１１，下枠１２及び左、右縦枠１３，１４を四周組にしてなる窓枠１に、上框２１，下框２２及び左、右縦框２３，２４を四周組にしてなる框枠の内周に板ガラス等のパネル２５を装着してなる障子２が開閉自在に支持されて構成されている。
障子２の左、右縦框２３，２４の外周面の上端位置にはスライド軸が設けられており、該スライド軸が左、右縦枠１３，１４の内周面の上部位置に設けられたスライドレール５１，５１内を上下方向にスライド自在、且つ、回転自在に連結されている。
【００１０】
一方、窓枠１の左、右縦枠１３，１４の内周面で上下方向ほぼ中央位置には、回転アーム３の一端が回転自在に連結されており、回転アーム３の他端は障子２の左、右縦框２３，２４の外周面で上下方向中央位置よりも上方位置において回転自在に連結されている。
そして、障子２の開放時には、障子２の下端部が屋外側に押し出され、スライドレール５１，５１内を下方に移動するスライド軸５５を中心に障子２が屋外側に回動されることにより窓の開閉が行われる。
【００１１】
また、本発明の実施形態の窓サッシには、図２に示すように、スライド軸５５及び回転アーム３とからなる開閉機構の他に、開閉機構のスライドレール５１の下方に設けられ障子２の開放時の衝撃を吸収するための衝撃吸収手段６と、障子２の開閉操作を行うための開閉操作手段７が設けられている。
以下、本発明の実施形態の各構成について、詳細に説明する。
【００１２】
（開閉機構の構成）
本発明の実施形態の窓サッシの開閉機構について、図３を参考に説明する。
左、右縦枠１３，１４の上部位置に設けられたスライドレール５１，５１は、左、右縦枠１３，１４の内周方向に突設する壁部により溝状に形成されており、障子２の上端見込み方向ほぼ中央位置に設けられたスライド軸５５を上下方向に案内している。スライドレール５１，５１内に案内されるスライド軸５５の先端には、ローラ部５５ａが回転自在に支持されている。
そして、左右壁部の内周端は互いに近接するように屈曲し、スライドレール５１，５１内に案内されるスライド軸５５のローラ部５５ａがスライドレール５１，５１から抜け出すことを防止している。
【００１３】
スライドレール５１，５１は、左、右縦枠１３，１４に対して平行に配置されたスライド部５１ａ，５１ａと、スライド部５１ａ，５１ａの上方に連続して室内側に傾斜する傾斜部５１ｂ，５１ｂとから構成されている。傾斜部５１ｂ，５１ｂの上端は左、右縦枠１３，１４の見込み方向ほぼ中央に位置し、スライド部５１ａ，５１ａは、左、右縦枠１３，１４の内周面の見込み方向で室外側に配置されている。
スライドレール５１，５１の上方に傾斜部５１ｂ，５１ｂが形成されているので、障子２の閉鎖時に、スライド軸５５を室内側に引き寄せて、上枠１１に設けられる気密材に対して上框２１が圧接される。
【００１４】
窓枠１の左、右縦枠１３，１４の内周面には、縦枠側支持ブラケット５６が設置されており、縦枠側支持ブラケット５６の内周面に回転アーム３の一端を回転自在に支持する第１の支持軸３１が設けられている。このとき、左、右縦枠１３，１４における第１の支持軸３１の上下方向の高さ位置は、障子２を閉鎖したときに障子２の重心Ｇが対向する高さに設定されている。
一方、障子２の左、右縦框２３，２４の外周面のスライド軸５５と障子２の重心Ｇとの中間には、障子支持ブラケット５７が設置されており、障子支持ブラケット５７の外周面に前記回転アーム３の他端を回転自在に支持する第２の支持軸３２が設けられている。
そして、第１の支持軸３１と第２の支持軸３２との間には、スライド軸５５と障子の重心Ｇとの距離の略１／２の寸法ａを有する回転アーム３が設けられている。
また、縦枠側支持ブラケット５６を左、右縦枠１３，１４に固定するためのネジ孔５６ａ、及び、障子支持ブラケット５７を左、右縦框２３，２４に固定するためのネジ孔５７ａは、長孔により形成されており、縦枠側支持ブラケット５６及び障子支持ブラケット５７の取付位置は、微調整（５〜１０ｍｍ程度）ができるように構成されている。
【００１５】
以上の、スライド軸５５，スライドレール５１，第１の支持軸３１、第２の支持軸３２、回転アーム３により、本実施形態の窓サッシの開閉機構が構成されており、各構成要素の寸法及び位置関係を上記のように特定することにより、開閉時に障子２の重力が影響しない窓サッシを構成することができる。
以下、窓サッシの開閉について、図４を参考にさらに説明する。
図４における閉鎖状態では、障子２は、窓枠１の内周に納まっており、開口部が障子２により閉鎖されている。このとき、左、右縦枠１３，１４の障子２の重心Ｇに対向する部位に第１の支持軸３１が位置するように縦枠側支持ブラケット５６が左、右縦枠１３，１４に対して固定されている。なお、閉鎖状態では、障子２上端のスライド軸５５は、スライドレール５１の傾斜部５１ｂ，５１ｂ内に位置されて、障子２の上方は室内側に押しつけられ、障子２の下方が引き寄せハンドル等を操作することにより、窓枠１と障子２との間が気密されている。
【００１６】
閉鎖状態から、障子２の下方を室外側に押し出すと、第１の支持軸３１は左、右縦枠１３，１４に対して高さ方向に移動できないので、障子２上端のスライド軸５５，５５が左、右縦枠１３，１４のスライドレール５１，５１に沿って下方に移動しながら回転して、障子２の下方を室外側に移動させる。このとき、スライドレール５１の上方部位において、傾斜部５１ｂ，５１ｂに沿って下方室外側に向かって移動するので、障子２を室外側に押し出す力に対して、動き始めがスムーズに行われる。
【００１７】
さらに、障子２の下方を室外側に押し出すと、障子２上端のスライド軸５５，５５は、スライドレール５１のスライド部５１ａ，５１ａに沿って下方に移動するが、スライド軸５５は室内外方向への移動がなく、また、第１の支持軸３１の位置が一定であるので、スライド軸５５を回転中心とする障子２の重心Ｇは、図４の「重心Ｇの軌跡」に示されるように、上下方向に変位することなく、開放状態及び全開状態に向かって、室外方向にほぼまっすぐに変位していく。
このように、開閉する障子２の重心Ｇが上下方向に変位しないので、障子２の開閉時に障子２の重量よる抵抗が発生せずに、僅かな自然風や室内外の気圧差によってスムーズに開閉が行われる回転式開閉換気窓を構成することができる。
【００１８】
以上のように、本実施形態においては、開閉に伴う障子２の重心Ｇの上下変位をほぼ無くして、僅かな自然風等で障子２の開閉を可能としたものであり、外力の働かない状態においては、障子２はその状態を変えることはない。しかしながら、窓サッシを設置する場所によっては、外力の働かない状態下において、障子２の開閉の抵抗とはならない範囲で、障子２が多少閉鎖状態に付勢されていたり、反対に、多少開放状態に付勢されていたりすることが好ましい場合がある。
そのために、本発明の実施形態の窓サッシは、障子２が外力の働かない状態下において障子２の重力が障子２を閉鎖状態とするように加わったり、反対に、開放状態とするように加わったりするように制御するために、第１の支持軸３１を支持する縦枠側支持ブラケット５６及び第２の支持軸３２を支持する障子支持ブラケット５７の固定位置に位置調節手段（長孔に形成されたネジ孔５６ａ，５７ａ）を設けており、それに併せて回転アーム３の寸法が変更できるように構成されている。なお、上記位置調節手段、及び、回転アーム３の寸法を調節することができる構成は、上記ネジ孔を長孔にすることに限るものではなく、公知の構成を採用すれば良い。
以下、図５を参考にして、説明する
【００１９】
図５（ａ）に示す開閉機構では、第１の支持軸３１もしくは第２の支持軸３２の固定部に設けた位置調節手段（長孔に形成されたネジ孔５６ａ，５７ａ）により固定位置を調節して、スライド軸５５から第２の支持軸３２までの距離ａよりも、回転アーム３の長さをｂだけ大きく設定している。そのため、障子２が開放するに従って、障子２の重心の位置が高くなり、開放状態においては、障子２の重量による閉鎖方向への力が加わることとなる。
なお、スライド軸５５から第２の支持軸３２までの距離ａよりも、回転アーム３の長さを大きく設定するためには、第１の支持軸３１の位置調節と回転アーム３の寸法変更を行っても、第２の支持軸３２の位置調節と回転アーム３の寸法変更のいずれによっても可能である。図５（ａ）において、前者の場合の障子２の重心をｇとし、後者の場合の障子２の重心のＧとして記載している。
そして、以上のように設定された窓サッシは、建物内の気圧が高くなったときなどには窓を開放して排気するが、建物内の空気を排気するなどして気圧差が無くなった後は、開放した窓は開放状態を維持することなく、自然と閉鎖状態になる。
【００２０】
一方、図５（ｂ）に示す開閉機構では、スライド軸５５から第２の支持軸３２までの距離ａよりも、回転アーム３の長さをｂだけ小さく設定している。そのため、障子２が開放するに従って、障子の重心Ｇの位置が低くなるために、開放状態においては、障子２の重量による開放方向への力が加わることとなる。
なお、図５（ａ）の例と同様に、スライド軸５５から第２の支持軸３２までの距離ａよりも、回転アーム３の長さを小さく設定するためには、第１の支持軸３１の位置調節と回転アーム３の寸法変更をしても、第２の支持軸３２の位置調節と回転アーム３の寸法変更のいずれによっても可能である。図５（ｂ）において、前者の場合の障子２の重心をｇとし、後者の場合の障子２の重心のＧとして記載している。
そして、以上のように設定された窓サッシは、建物の窓に対して風が当たる場合などには、窓を閉鎖して外気の浸入を防止するが、無風状態となると、自然と、もしくは、小さな外力で開放して建物内の空気を排気することができる。
なお、本実施形態において、障子の重心を調整するために、障子の上下框枠の内部にウエイト等を配置して、障子の重心位置を正確に設定できるように構成することもできる。
【００２１】
（衝撃吸収手段の構成）
衝撃吸収手段について、図６を参考にして、説明する。
衝撃吸収手段６は、障子２の開放に伴ってスライドレール５１内を下方に移動してきたスライド軸５５が当接する衝撃吸収ブロック６１と、衝撃吸収ブロック６１の下方に連結される衝撃吸収軸６２と、衝撃吸収軸６２の上下方向への移動を案内する衝撃吸収軸ガイド６３と、衝撃吸収軸６２の上方位置に固定されたコイルバネストッパ６２ａと、衝撃吸収軸６２の下端に固定されたストッパ６２ｂと、衝撃吸収軸ガイド６３との間に配置されるコイルバネ６４とにより構成されている。
衝撃吸収ブロック６１に対して障子２のスライド軸５５が当接しない状態では、衝撃吸収軸ガイド６３とコイルバネストッパ６２ａとの間に配置されたコイルバネ６４の反発力により、衝撃吸収軸６２はストッパ６２ｂが衝撃吸収軸ガイド６３の下面に当接する上端位置に位置している。この状態から、障子２が開放され、スライドレール５１，５１に沿ってスライド軸５５，５５が下方に移動して衝撃吸収ブロック６１に上方より当接すると、コイルバネ６４の収縮により障子２の開放時の衝撃が吸収される。
そして、障子２の閉鎖時には、コイルバネ６４の復元力により、障子２を閉鎖方向に付勢して、操作者の障子２の閉塞操作を補助している。
なお、上記衝撃吸収手段６は、上記のとおり、障子２の開放時の衝撃を吸収するとともに、スライド軸５５のスライドレール５１下端からの外れを防止しており、また、コイルバネ６４の大きさを選択したり、衝撃吸収ブロック６１の移動下端位置を設定する手段を設けることによって、障子２の全開角度を設定する手段としての機能も有している。
【００２２】
（開閉操作手段の構成）
本発明の実施形態の開閉操作手段について、図７の左縦枠１３に配置された開閉操作手段を参照して、説明する。なお、右縦枠１４に配置された開閉操作手段の構成は、左縦枠１３に配置されたものと略同一である。
開閉操作手段７は、第１の支持軸３１の近傍に設けられ、左縦枠１３の内周面に上下動自在に配置される操作部材７１と、回転アーム３の外周面に設けられる開閉操作ピン７２とから構成されている。
【００２３】
左縦枠１３の内周面に配置される操作部材７１は、操作部材７１の上方位置に設けられる上方リブ７１１と、操作部材７１の下方位置に設けられる下方リブ７１２と、上方リブ７１１と下方リブ７１２とを連結する連結部７１３とから構成され、連結部７１３が左縦枠１３の内周面に形成されたガイドレール７３に沿って配置された操作杆７４に固定されている。
操作者が操作する手動のハンドルや電動のアクチュエータ等の操作手段により、操作杆７４をガイドレール７３に沿って上下動させることにより、操作部材７１が左縦枠１３の内周面で上下動するように構成されている。
操作部材７１の上方リブ７１１は、室内側から室外側に向かって上方に傾斜する上方リブ傾斜部７１１ａと上方リブ傾斜部７１１ａの室外側端より上方に鉛直に延びる上方リブ鉛直部７１１ｂとを有し、下方リブ７１２は、室外側から室内側に向かって下方に傾斜する下方リブ傾斜部７１２ａと下方リブ傾斜部７１２ａの室内側端より下方に垂下する下方リブ鉛直部７１２ｂとを有している。
一方、回転アーム３の外周面に形成される開閉操作ピン７２は、障子２の開閉操作時に操作部材７１の上方リブ７１１と下方リブ７１２との間に配置されるように回転アーム３の第１の支持軸３１から所定距離の位置に形成されており、上方リブ７１１及び下方リブ７１２に当接することで障子２の開閉操作及び開放位置、閉鎖位置での維持を行っている。
【００２４】
（障子の開閉操作）
開閉操作手段による障子の開閉操作について、図８を参考にして説明する。
図８（ａ）に示すように、障子２の閉鎖時においては、操作部材７１は上方位置に操作されており、回転アーム３に設けられた開閉操作ピン７２が操作部材７１の下方リブ７１２の下方リブ鉛直部７１２ｂに室内側から当接することにより、回転アーム３の室外側への回転が阻止され、障子２は、閉鎖状態にロックされている。
図８（ａ）に示す閉鎖時の状態から、操作手段を操作して操作部材７１を下方に操作すると、開閉操作ピン７２は下方リブ鉛直部７１２ｂより離脱し図８（ｂ）の状態を経て、室内外の圧力差等の外力によって自由に開閉する図８（ｃ）に示すフリー可動の状態となる。
【００２５】
図８（ｃ）に示すフリー可動の状態から、操作者が操作手段を操作して操作部材７１を下方に操作すると、図８（ｄ）に示すように、操作部材７１の上方リブ７１１の上方リブ傾斜部７１１ａが開閉操作ピン７２に当接してその傾斜により開閉操作ピン７２を強制的に屋外側に移動させ、さらに、操作部材７１を下方に操作することで、図８（ｅ）に示す、操作部材７１の上方リブ７１１の上方リブ鉛直部７１１ｂの室外側に開閉操作ピン７２が至るまで回転アーム３を回転させる。
図８（ｅ）に示す状態においては、開閉操作ピン７２が上方リブ鉛直部７１１ｂの室外側に当接すると共に、障子２のスライド軸５５が衝撃吸収手段６に支持されることで、障子２が全開放の位置に維持される。
【００２６】
反対に、図８（ｅ）に示す全開放の状態から、操作者が操作手段を操作して操作部材７１を上方に操作すると、開閉操作ピン７２が上方リブ鉛直部７１１ｂから離脱して図８（ｄ）の状態を経て、室内外の圧力差等の外力によって自由に開閉する図８（ｃ）に示すフリー可動の状態となる。
図８（ｃ）に示すフリー可動の状態から、操作者が操作手段を操作して操作部材７１を上方に操作すると、図８（ｂ）に示すように、操作部材７１の下方リブ７１２の下方リブ傾斜部７１２ａが開閉操作ピン７２に当接してその傾斜により開閉操作ピン７２を強制的に屋内側に移動させ、さらに、操作部材７１を下方に操作することで、図８（ａ）に示す、操作部材７１の下方リブ７１２の下方リブ鉛直部７１２ｂの屋内側に開閉操作ピン７２が至るまで回転アーム３を回転させる。
図８（ａ）に示す状態においては、開閉操作ピン７２が下方リブ鉛直部７１２ｂの室内側に当接することにより、障子２が閉鎖状態に維持される。
【００２７】
以上のように、本発明の実施形態においては、操作者は、直接障子２に触れることなく障子２を開閉することができる。また、障子２の閉鎖時及び全開放時においては、障子２の回転アーム３に設けられた開閉操作ピン７２が操作部材７１に対して室内外方向から当接してその状態を維持しているので、障子２に風等の外力が生じても、その外力が操作部材７１の操作方向である上下方向には伝わらないので、障子２の閉鎖及び全開状態を安定して維持することができる。
【００２８】
上記本発明の実施形態の開閉操作手段において、操作部材７１の上方リブ７１１と下方リブ７１２の傾斜角度を異ならせることができる。
具体的に例示すれば、障子２に対して閉鎖状態への付勢力が付与されている場合などに、図９に示すように上方リブ７１１の上方リブ傾斜部７１１ａの傾斜角度を下方リブ７１２の下方リブ傾斜部７１２ａの傾斜角度よりも大きくする（傾斜を急にする）ことにより、図９（ｃ）のフリー可動の状態から図９（ｅ）の全開放の状態に操作するときの操作力を、図９（ａ）の閉鎖時に操作するときの操作力に比べて小さく（軽く）することができる。
反対に、障子２に対して開放状態への付勢力が付与されている場合などに、下方リブ７１２の下方リブ傾斜部７１２ａの傾斜角度を上方リブ７１１の上方リブ傾斜部７１１ａの傾斜角度をよりも大きくすることにより、フリー可動の状態からの閉鎖状態へ操作するときの操作力を全開放の状態に操作するときの操作力に比べて小さく（軽く）することができる。
以上のように、操作部材７１が上下２つのリブにより構成されていることによって、自然換気窓に応じて、開放及び閉鎖への操作力をそれぞれ個別に調節することができる。
さらに、例えば図１０の下方リブに見られるように、リブの傾斜部の傾斜角度を途中で変更することにより、比較的操作力を必要とする閉鎖直前に開閉操作ピンが当接する傾斜部の傾斜角度を大きくするなど、閉鎖操作においてもその操作力を変化させることもできる。
【００２９】
また、上記本発明の実施形態の開閉操作手段において、回転アーム３に設けられる開閉操作ピン７２を２つ設けることもできる。
具体的に例示すれば、図１０に示すように、回転アーム３には第１開閉操作ピン７２ａと、第１開閉操作ピン７２ａの上方位置にさらに第２開閉操作ピン７２ｂとが設けられており、それに伴って、操作部材７１の上方リブ７１１の室内側（上方面）に第２開閉操作ピン７２ｂが当接する第２上方リブ傾斜部７１１ｃと第２上方リブ鉛直部７１１ｄが形成されている。
さらに、図１１に示すように、下方リブ７１２の傾斜部７１２ａを湾曲状に形成したり、図１２に示すように、上方リブ７１１及び下方リブ７１２の傾斜部７１１ａ，７１２ａを共に湾曲状に形成することもできる。
傾斜部を湾曲状とすることにより、第１開閉操作ピン７２ａや第２開閉操作ピン７２ｂを湾曲形状に沿って滑らかに動かすことができる。
以上、開閉操作ピンを２つ設けることにより、閉鎖状態における回転アーム３の引寄せ状態の維持を、回転アーム３の回転中心より比較的離れた位置にある第２開閉操作ピン７２ｂを利用して行うことができるので、閉鎖状態を確実に維持することができる。
【００３０】
図１３に示す操作部材７１を用いることにより、閉鎖動作時においても軽い操作で確実な閉鎖操作を行うことができる。以下、具体的に説明する。
図１３（ａ）に示すフリー可動状態から、操作者が操作手段を操作して操作部材７１を上方に操作すると、まず、第１開閉操作ピン７２ａが下方リブ７１２の下方リブ傾斜部７１２ａに当接して回転アーム３を、図１３（ｂ）に示すように閉鎖方向に回動させる。さらに操作部材７１を上方に操作すると図１３（ｃ）に示すように第２開閉操作ピン７２ｂが操作部材７１の上方リブ７１１の屋内側に移動し、図１３（ｄ）に示すように第２開閉操作ピン７２ｂが上方リブ７１１の第２上方リブ傾斜部７１１ｃに当接する。
そして、その後の操作部材７１の上方への移動においては、回転アーム３には、下方リブ７１２の下方リブ傾斜部７１２ａによる第１開閉操作ピン７２ａにかかる力と、上方リブ７１１の第２上方リブ傾斜部７１１ｃによる第２開閉操作ピン７２ｂにかかる力によって、障子２を閉鎖操作することができる。
【００３１】
したがって、回転アーム３に対して開閉操作ピン７２を２つ設けることにより、図１０に示すように、操作部材７１は第１開閉操作ピン７２ａに対して図８，９と同様に作用して障子２の開閉操作を行うことができるとともに、図１３に示すように、閉鎖動作時においては、第１の支持軸３１から距離が離れた第２開閉操作ピン７２ｂに対する閉鎖力によっても障子２を閉鎖することができるため、閉鎖操作に必要な力が軽くなると共に、閉鎖状態を２つのピンにより確実に維持することができる。
【００３２】
図１４に示す他の実施形態は、下方に位置する第１開閉操作ピン７２ａの位置を第１の支持軸３１から遠ざけることにより閉鎖時の操作力を小さくすることを可能としている。
以下、説明する。図１４に示す操作部材７５は、操作部材７５の上方位置に設けられる上方リブ７５１と、操作部材７５の下方位置に設けられる下方リブ７５２と、上方リブ７５１と下方リブ７５２とを連結する連結部７５３とから構成されている。
操作部材７５の上方リブ７５１は、室内側から室外側に向かって上方に傾斜する上方リブ傾斜部７５１ａと上方リブ傾斜部７５１ａの室外側端より上方に鉛直に延びる上方リブ鉛直部７５１ｂと上方リブ鉛直部７５１ｂからさらに室外側上方に斜めに延びる上方リブ上端部７５１ｃを有し、下方リブ７５２は、室内側に鉛直に延びる下方リブ鉛直部７５２ｂと下方リブ鉛直部７５２ｂの上端から室外側に向かって上方に傾斜する下方リブ傾斜部７５２ａとを有している。
回転アーム３の外周面の第１の支持軸３１から所定距離の室内側部位に第１開閉操作ピン７２ａが形成され、第１開閉操作ピン７２ａの上方であり室外側部位に第２開閉操作ピン７２ｂが形成されており、第１開閉操作ピン７２ａが操作部材７５の上方リブ７５１と下方リブ７５２との間に配置されて上方リブ７５１及び下方リブ７５２に当接することで障子２の開閉操作及び開放位置、閉鎖位置での維持を行うとともに、第２開閉操作ピン７２ｂが上方リブ７５１の上方リブ鉛直部７５１ｂの室内面に当接することで、障子２の閉鎖位置での維持を行っている。
【００３３】
そして、図１４（ａ）に示すように、障子２の閉鎖時においては、上方位置に操作された操作部材７５の下方リブ７５２の下方リブ鉛直部７５２ｂに第１開閉操作ピン７２ａが室内側から当接し、上方リブ７５１の上方リブ鉛直部７５１ｂに第２開閉操作ピン７２ｂが室内側から当接することにより、回転アーム３の室外側への回転が阻止され、障子２は、閉鎖状態にロックされている。
図１４（ａ）に示す閉鎖時の状態から、操作手段を操作して操作部材７５を下方に操作すると、第１開閉操作ピン７２ａが下方リブの下方リブ鉛直部７５２ｂから離脱すると共に、第２開閉操作ピン７２ｂが上方リブ鉛直部７５１ｂから離脱することで、障子２は、図１４（ｂ）に示す第１開閉操作ピン７２ａが下方リブ傾斜部７５２ａに当接するまでの間で、室内外の圧力差等の外力によって自由に開閉する状態となる。
さらに、操作部材７５を下方に操作することによって、図１４（ｃ）に示すようにフリー可動の領域が開放の方向に広がり、図１４（ｄ）に示すように、上方リブ７５１の上方リブ傾斜部７５１ａが第１開閉操作ピン７２ａに当接することによって、第１開閉操作ピン７２ａを強制的に屋外側に移動させ、さらに、操作部材７５を下方に操作することで、図１４（ｅ）に示すように、操作部材７５の上方リブ７５１の上方リブ鉛直部７５１ｂの室外側に第１開閉操作ピン７２ａが至るまで回転アーム３を回転させる。
図１４（ｅ）に示す状態においては、第１開閉操作ピン７２ａが上方リブ鉛直部７５１ｂの室外側に当接すると共に、障子２のスライド軸５５が衝撃吸収手段６に支持されることで、障子２が全開放の位置に維持されることとなる。
【００３４】
反対に、図１４（ｅ）に示す全開放の状態から、操作者が操作手段を操作して操作部材７５を上方に操作すると、第１開閉操作ピン７２ａが上方リブ鉛直部７５１ｂから離脱して図１４（ｄ）の状態を経て、図１４（ｃ）に示す所定範囲において障子２が自由に開閉するフリー可動の状態となる。
図１４（ｃ）に示すフリー可動の状態から、操作者が操作手段を操作して操作部材７５を上方に操作すると、図１４（ｂ）に示すように、操作部材７５の下方リブ７５２の下方リブ傾斜部７５２ａが第１開閉操作ピン７２ａに当接してその傾斜により第１開閉操作ピン７２ａを強制的に屋内側に移動させ、さらに、操作部材７５を下方に操作することで、図１４（ａ）に示す、閉鎖状態に維持される。
【００３５】
つまり、障子２の全開放時における下方に位置する第１開閉操作ピン７２ａは、操作部材７５の上方リブ鉛直部７５１ｂの室外側に当接して保持されることとなり、操作部材７５が縦枠１３，１４の見込み幅内に収まることから、第１開閉操作ピン７２ａも縦枠１３，１４の見込み幅内に収める必要がある。したがって、図１４に示す実施形態においては、図１４（ｅ）に示すように、回転アーム３の下方に位置する第１開閉操作ピン７２ａを、障子２の全開放時の回転アーム３において、縦枠１３，１４の見込み幅に収まる部分であって、且つ、第１の支持軸３１から最も遠い室内側部位に配置することとしている。
このように、下方に位置する第１開閉操作ピン７２ａを室内側部位に配置することによって、同一の開放状態（角度）においては、第１開閉操作ピン７２ａを第１の支持軸３１からより遠ざけることができ、閉鎖時の操作力を小さくすることができる。
【００３６】
また、回転アーム３の上方に位置する第２開閉操作ピン７２ｂについても、回転アーム３の室外側に配置して上方リブ７５１の上方位置に設けた上方リブ鉛直部７５１ｂに当接するように構成することで、第１の支持軸３１から遠ざけることができ、閉鎖の維持力を大きくすることができる。
【００３７】
以上のように、本発明の実施形態では、縦枠の内周面に上下動自在に配置される操作部材の上下のリブ間に回転アームに設けられた開閉操作ピンを配置することにより、操作杆により操作部材を上下動させることで室外側に開放した障子に手を伸ばすことなく、障子の開閉ができるので、開閉操作が簡単で、且つ、安全である。
そして、操作部材を上下２つの独立したリブ部により構成することで、障子の開放時及び閉鎖時の操作力を独立して設定することができ、開閉操作手段を配置する自然換気窓の状況に応じて障子の開閉操作力を最適に設定することができる。
なお、操作部材の上下のリブの形状については、開閉操作ピンを介して障子の開閉ができれば、特に上記実施形態に限定されるものではない。
【符号の説明】
【００３８】
１            ：窓枠
１１          ：上枠
１２          ：下枠
１３          ：左縦枠
１４          ：右縦枠
２            ：障子
２１          ：上框
２２          ：下框
２３          ：右縦框
２４          ：右縦框
３            ：回転アーム
３１          ：第１の支持軸
３２          ：第２の支持軸
５１          ：スライドレール
５１ａ        ：スライド部
５１ｂ        ：傾斜部
５５          ：スライド軸
５５ａ        ：ローラ部
５６          ：縦枠側支持ブラケット
５７          ：障子支持ブラケット
６            ：衝撃吸収手段
６１          ：衝撃吸収ブロック
６２          ：衝撃吸収軸
６２ａ        ：コイルバネストッパ
６２ｂ        ：ストッパ
６３          ：衝撃吸収軸ガイド
６４          ：コイルバネ
７            ：開閉操作手段
７１          ：操作部材
７１１        ：上方リブ
７１１ａ      ：上方リブ傾斜部
７１１ｂ      ：上方リブ鉛直部
７１１ｃ      ：第２上方リブ傾斜部
７１１ｄ      ：第２上方リブ鉛直部
７１２        ：下方リブ
７１２ａ      ：下方リブ傾斜部
７１２ｂ      ：下方リブ鉛直部
７１３        ：連結部
７２          ：開閉操作ピン
７２ａ        ：第１開閉操作ピン
７２ｂ        ：第２開閉操作ピン
７３          ：ガイドレール
７４          ：操作杆
７５          ：操作部材
７５１        ：上方リブ
７５１ａ      ：上方リブ傾斜部
７５１ｂ      ：上方リブ鉛直部
７５１ｃ      ：上方リブ上端部
７５２        ：下方リブ
７５２ａ      ：下方リブ傾斜部
７５２ｂ      ：下方リブ鉛直部
７５３        ：連結部
【要約】
【課題】
障子の開閉操作と障子のロック操作を室内から簡単に行うことのできる開閉窓を提供する。
【解決手段】
窓枠と、窓枠に対して上端部が支持されて開閉する障子と、窓枠と障子に対してその両端部が回転自在に連結される回転アームとを備え、縦枠内周面に、室内側から室外側に行くにしたがって上方に傾斜するように縦枠内周面から内周方向に突出する上方リブと、上方リブに対して下方に配置され室内側から室外側に行くにしたがって上方に傾斜するように縦枠内周面から内周方向に突出する下方リブを上下動自在に設けるとともに、回転アームの外周面に、上方リブ及び下方リブの間に配置され、上方リブ及び下方リブに当接することで障子を開閉操作する開閉操作ピンが形成されている。
【選択図】図７【図１】
0005926841.tif 000002
【図２】
0005926841.tif 000003
【図３】
0005926841.tif 000004
【図４】
0005926841.tif 000005
【図５】
0005926841.tif 000006
【図６】
0005926841.tif 000007
【図７】
0005926841.tif 000008
【図８】
0005926841.tif 000009
【図９】
0005926841.tif 000010
【図１０】
0005926841.tif 000011
【図１１】
0005926841.tif 000012
【図１２】
0005926841.tif 000013
【図１３】
0005926841.tif 000014
【図１４】
0005926841.tif 000015